(57)【要約】【課題】空気吸い込み中にフィルタエレメントを交換するときの異物の吸い込みを低減もしくはなくすと共に、交換作業を容易にする。【解決手段】ケーシング１９の内側中央部に密閉構造の部屋２３を設ける。該部屋２３の両側に小型にした４本ずつのフィルタエレメント２７を備え、吸入部２０よりケーシング１９内に流入した空気をフィルタエレメント２７を通して部屋２３内に導くようにする。各フィルタエレメント２７は外周部に開口部を有するフィルタエレメント取付部２６に取外し可能に嵌めて取り付ける。フィルタエレメント２７の交換時は、窓２８を開けて１本ずつ交換するようにする。【選択図】        図１
2004290790.tif 000002
【特許請求の範囲】
【請求項１】
吸入部から吐出部に至る空気流路に、フィルタエレメントを個別に備え、該各フィルタエレメントで吸い込まれた空気が上記吐出部へ導かれるようにした構成を有することを特徴とする吸入フィルタ。
【請求項２】
吸入部と吐出部を有するケーシングの内部に、フィルタエレメントを左右に個別に備え、該左右の各フィルタエレメントで吸い込まれた空気が上記吐出部に導かれるようにした構成を有することを特徴とする吸入フィルタ。
【請求項３】
ケーシングの内側中央部に、密閉構造とした部屋を設け、該部屋の両側部に、フィルタエレメントを個別に備えて、該各フィルタエレメントを通して上記密閉構造の部屋の内外を連通させるようにすると共に、該部屋の内部と吐出部とを連通させた請求項２記載の吸入フィルタ。
【請求項４】
フィルタエレメントの外側に位置するケーシングの側部に、フィルタエレメントに対応する大きさの窓を設け、且つ該窓を開閉可能な蓋で密閉できるようにした請求項２又は３記載の吸入フィルタ。
【発明の詳細な説明】
【０００１】
【発明の属する技術分野】
本発明は圧縮機の吸入ラインの吸入側に設けられる吸入フィルタに関するものである。
【０００２】
【従来の技術】
たとえば、ターボ圧縮機のうち、２段式のターボ圧縮機は、図３に一例の概要を示す如き構成のものが提案されている。すなわち、第１段圧縮機１の吸入口２には、途中に吸入弁３を有する吸入ライン４を接続してあって、該吸入ライン４の吸入側となる一端側に、ダスト等の異物を取り除くフィルタエレメント６を備えた吸入フィルタ５が取り付けてあり、第１段圧縮機１の吐出口７と第２段圧縮機８の吸入口９とを結ぶライン１０には、第２段圧縮機８に入る圧縮空気を冷却して体積を収縮させるべくインタークーラ１１が設けてある。更に、第２段圧縮機８の吐出口１２に接続した吐出ライン１３には、アフタークーラ１４が設けてあり、該アフタークーラ１４の下流側は、圧縮空気供給ライン１５と放風ライン１６とに分岐されていて、該分岐個所よりも下流側となる吐出ライン１３に取り付けた圧力スイッチ１７により、上記吸入弁３と、放風ライン１６に設けた放風弁１８の各開閉を制御するようにしたものが提案されている（特許文献１参照）。
【０００３】
上記特許文献１に開示されている如く、従来のターボ圧縮機に用いられている吸入フィルタ５は、図４に示す如く、吸入部２０を有するケーシング１９と、該ケーシング１９の中央部に設けてあって、吸入ライン４に連通させられる吐出部２１と、該吐出部２１に連通するよう外周に開口部を有する大口径のフィルタエレメント取付部２２と、該フィルタエレメント取付部２２の外側に嵌合して取り付けてある大型の筒形状のフィルタエレメント６とからなる構成としてあり、ケーシング１９の一部に開口した吸入部２０から吸入した空気を、フィルタエレメント６を通して吸い込んで吐出部２１へ導くようにし、この間に空気中のダスト等の異物を除去するようにしてある。
【０００４】
【特許文献１】
特開平８−１２１３９８号公報
【０００５】
【発明が解決しようとする課題】
ところが、上記従来の吸入フィルタ５は、１つの吐出部２１に対し、図示の如くフィルタエレメント６が１本の場合がほとんどであるため、圧縮機運転中にフィルタエレメント６に目詰り等が生じて交換の必要が生じた際に、圧縮機の運転を停止できればよいが、圧縮機の運転中に１本のフィルタエレメント６の交換を余儀なくされる場合がある。かかる場合には、１本のフィルタエレメント６の交換に際してフィルタエレメント６を取り外すと、空気の吸い込みを継続する必要上、該取り外されたフィルタエレメント取付部２２の開口部をカバーで塞ぐことができないため、フィルタエレメント取付部２２の開口部を通って多くの空気が吸い込まれることになる。そのため、本来、フィルタエレメント６で取り除かれるべきダスト等の異物が、フィルタエレメント交換中は除去されないことになって、多くの異物を吸い込むおそれがある。又、フィルタエレメント６は大型で且つ取扱いが難しいために、交換作業時にクレーン等の使用が必要となる等、交換作業に多くの時間と労力を必要としていた。
【０００６】
そこで、本発明は、圧縮機の運転中にフィルタエレメントを交換するときでも、多くの異物を吸い込むおそれを低減もしくはなくすと共に、交換作業を簡単に且つ短時間に行うことができるようにしようとするものである。
【０００７】
【課題を解決するための手段】
本発明は、上記課題を解決するために、吸入部から吐出部に至る空気流路に、フィルタエレメントを個別に備え、該各フィルタエレメントで吸い込まれた空気が上記吐出部へ導かれるようにした構成とする。更に、吸入部と吐出部を有するケーシングの内部に、フィルタエレメントを左右に個別に備え、該左右の各フィルタエレメントで吸い込まれた空気が上記吐出部に導かれるようにした構成とする。これにより、フィルタエレメントを交換するとき、１つのフィルタエレメントの交換を行っても他のフィルタエレメントで空気の吸い込みを行わせることができる。又、交換中の１つのフィルタエレメント取付部で吸い込む空気量を少なくすることができるので、異物の吸い込み確率を低くすることができる。この際、フィルタエレメントを取り外したフィルタエレメント取付部の開口部を塞ぐようにしても、全体の抵抗値は小さく圧縮機の運転に与える影響は少なく、該開口部を塞ぐようにすれば、当該フィルタエレメントを外したフィルタエレメント取付部を通して異物を吸い込むことがなくなる。
【０００８】
又、ケーシングの内側中央部に、密閉構造とした部屋を設け、該部屋の両側部に、フィルタエレメントを個別に備えて、該各フィルタエレメントを通して上記密閉構造の部屋の内外を連通させるようにすると共に、該部屋の内部と吐出部とを連通させた構成とする。部屋の両側のフィルタエレメントを多数本とすることが可能となり、このことから、１本１本のフィルタエレメントを小さくすることができるため、フィルタエレメント取付部の開口部面積をより小さくすることができることになり、これに伴いフィルタエレメント交換時の異物の吸い込み確率をより低下させることが可能となる。
【０００９】
更に、フィルタエレメントの外側に位置するケーシングの側部に、フィルタエレメントに対応する大きさの窓を設け、且つ該窓を開閉可能な蓋で密閉できるようにした構成とする。１本１本のフィルタエレメントの交換を窓を通して容易に行うことができることになる。
【００１０】
【発明の実施の形態】
以下、本発明の実施の形態を図面を参照して説明する。
【００１１】
図１及び図２は本発明の実施の一形態を示すもので、吸入部２０と吐出部２１を有するケーシング１９内の中央部に、所要の厚さ及び高さを有する密閉構造とした部屋２３を設け該部屋２３の前後方向の一側に吐出部２１に連通させる開口２４を設けると共に、該部屋２３の厚み方向となる左右の両側面に、各々４個の開口２５を設ける。該各開口２５部の外側面には、円筒状としてあって周方向に開口部を有する小径のフィルタエレメント取付部２６を、左右方向へ水平状態に突出するように取り付け、該各フィルタエレメント取付部２６の外周部に、円筒状とした小径のフィルタエレメント２７を各々取外し可能に嵌合して取り付け、上記吸入部２０から流入した空気が部屋２３の外側で左右に分かれてから各フィルタエレメント２７より吸い込まれて、フィルタエレメント取付部２６内を通り各開口２５より部屋２３内に入り、該部屋２３から開口２４を経て吐出部２１へ至り、ここから吸入ライン４（図３参照）へ送られるようにした構成とする。
【００１２】
更に、上記ケーシング１９の左右両側壁に４本のフィルタエレメント２７の設置領域よりも大きい窓２８を設け、該窓２８に密閉式の蓋２９を開閉可能に取り付けるようにしてある。
【００１３】
３０は本発明の吸入フィルタを取り扱うときの吊ピースである。
【００１４】
図３に示す如き圧縮機の運転中は、本発明の吸入フィルタ５の吸入部２０から流入する空気を、左右合計８個のフィルタエレメント２７を個別に通すことによりダスト等の異物を取り除くようにしてから部屋２３の内部へ導入し、しかる後、清浄化された空気を開口２４より吐出部２１を経て圧縮機側へ流すようにする。これにより第１段圧縮機１には異物が混入していない空気が導入されることになる。この際、８本のフィルタエレメント２７は、左右両側に４本組として配してあり、吸入部２０から流入した空気を左右の片側で４本のフィルタエレメント２７により一斉に吸い込まれるようになるので、１個所に８本のフィルタエレメント２７が集中して配置するようにした場合に比して空気の吸入抵抗を減らすことができる。
【００１５】
圧縮機の運転中にフィルタエレメント２７の交換の必要が生じた場合には、同時にすべてのフィルタエレメント２７を交換することなく、交換の必要なフィルタエレメント２７を１本ずつ単独に取り外して新しいフィルタエレメント２７に交換するようにする。この場合は、交換を必要とするフィルタエレメント２７をフィルタエレメント取付部２６から取り外すようにする。この際、交換を必要とするフィルタエレメント２７が存在している側の蓋２９を開けて窓２８の外から目的のフィルタエレメント２７をフィルタエレメント取付部２６より取り外すようにするので、容易に取り外すことができる。次に、このフィルタエレメント２７を取り外したフィルタエレメント取付部２６に、新しいフィルタエレメント２７又は補修し終えたフィルタエレメント２７を取り付けることにより１つのフィルタエレメント２７の交換を行うことができる。
【００１６】
上記において、フィルタエレメント２７が取り外されたフィルタエレメント取付部２６には、該フィルタエレメント取付部２６の開口部を覆うようにするカバーを取り付けておくようにすることができ、又、カバーを取り付けることなくそのままにしておくようにすることもできる。
【００１７】
フィルタエレメント２７を取り外したところのフィルタエレメント取付部２６にカバーをしないでおく場合には、交換を必要とするフィルタエレメント２７を取り外して、ケーシング１９の窓２８より取り出した後は、新たなフィルタエレメント２７を当該フィルタエレメント取付部２６への取付け作業に入るまでは上記窓２８を蓋２９で閉じておくようにする。これにより吸い込まれる空気の一部は、フィルタエレメント２７のないフィルタエレメント取付部２６に吸い込まれることになるが、１つひとつのフィルタエレメント取付部２６の開口部面積は小さくしてあるので、ここを流れる空気量を少なくすることができて、異物の吸い込み確率を低下させることができる。又、必要に応じて各開口２５の部分にダスト除去物を取り付けるようにすることもできる。
【００１８】
一方、フィルタエレメント２７を取り外したフィルタエレメント取付部２６の開口部をカバーで覆い空気の吸い込みを防止するようにしておくと、当該フィルタエレメント取付部２６では空気の吸い込みが行われないので、異物の吸い込みを未然に防止することができる。この際、ケーシング１９に吸い込まれた空気は、他の７本のフィルタエレメント２７を通して吸い込まれるので、空気の吸い込みに支障を来たすようなことはない。
【００１９】
又、本発明の吸入フィルタ５においては、フィルタエレメント２７を小径の８本に分割して複数個所に配設した構成としてあるので、個々のフィルタエレメント２７の重量を軽くでき且つ取り扱いが容易となるように小型化することができて、クレーン等の大型機械を用いることなく、手作業で容易に交換作業を行うことができる。
【００２０】
なお、本発明は上記実施の形態にのみ限定されるものではなく、たとえば、左右４本、合計８本のフィルタエレメント２７を備えた場合を示したが、８本に限られることなく、任意の本数とすることができること、各フィルタエレメント２７の径は等しいものとして示してあるが、異径のフィルタエレメントの組み合わせとしてもよいこと、その他本発明の要旨を逸脱しない範囲内において種々の変更を加え得ることは勿論である。
【００２１】
【発明の効果】
以上述べた如く、本発明の吸入フィルタによれば、次の如き優れた効果を奏し得る。
（１）吸入部から吐出部に至る空気流路に、フィルタエレメントを個別に備え、該各フィルタエレメントで吸い込まれた空気が上記吐出部へ導かれるようにした構成とし、更に、吸入部と吐出部を有するケーシングの内部に、フィルタエレメントを左右に個別に備え、該左右の各フィルタエレメントで吸い込まれた空気が上記吐出部に導かれるようにした構成としてあるので、空気吸い込み中にフィルタエレメントを交換するとき、一部のフィルタエレメントを交換して他のフィルタエレメントを残して空気の吸い込みを行わせることができ、これに伴い交換中の１つのフィルタエレメント取付部で吸い込む空気量を少なくすることができて、異物の吸い込み確率を低下させることができる。
（２）上記（１）において、フィルタエレメントが取り外されたフィルタエレメント取付部の開口部をカバーで塞ぐようにすると、当該フィルタエレメントが取り外されたフィルタエレメント取付部の開口部を通して異物を吸い込むことを防止することができる。
（３）ケーシングの内側中央部に、密閉構造とした部屋を設け、該部屋の両側部に、フィルタエレメントを個別に備えて、該各フィルタエレメントを通して上記密閉構造の部屋の内外を連通させるようにすると共に、該部屋の内部と吐出部とを連通させた構成とすることにより、部屋の両側のフィルタエレメントを多数本並べて備えることが容易に可能となって、１本１本のフィルタエレメントを小型にすることができて交換時の取り扱いがより楽になり、又、対応するフィルタエレメント取付部の開口部面積をより小さくすることができて、フィルタエレメント交換時における該フィルタエレメント取付部からの異物の吸い込み確率をより低下させることができる。
（４）更に、フィルタエレメントの外側に位置するケーシングの側部に、フィルタエレメントに対応する大きさの窓を設け、且つ該窓を開閉可能な蓋で密閉できるようにした構成とすることにより、フィルタエレメントを１本１本窓を通して容易に交換することができる。
【図面の簡単な説明】
【図１】本発明の吸入フィルタの実施の一形態を示す一部切断斜視図である。
【図２】図１のＩＩ方向からの切断平面図である。
【図３】従来のターボ圧縮機の一例を示す概略図である。
【図４】従来の吸入フィルタの概略を示す断面図である。
【符号の説明】
１９  ケーシング
２０  吸入部
２１  吐出部
２３  部屋
２４  開口
２５  開口
２６  フィルタエレメント取付部
２７  フィルタエレメント
２８  窓
２９  蓋
【図１】
2004290790.tif 000003
【図２】
2004290790.tif 000004
【図３】
2004290790.tif 000005
【図４】
2004290790.tif 000006